(57)【要約】      （修正有）【課題】記憶部で使用するデータ容量の増加を抑えることが可能な画面表示方法及びその表示装置を提供する。【解決手段】上位階層の遷移元から下位階層の遷移先へと画面を切り替えて表示する時に、前記画面に付随した操作に伴いテーブルから取得した画面番号と遷移先グループとを用いて、戻り画面記憶ＩＤテーブルから戻り画面ＩＤを取得するとともに記憶し、前記下位階層の遷移先から上位階層の遷移元へと画面を切り替えて表示する時に、前記画面に付随した操作に伴い前記テーブルから取得した画面番号と遷移先グループ及び、前記記憶した戻り画面ＩＤとを用いて、戻り画面復帰ＩＤテーブルから前記戻り画面番号データを取得する。【選択図】図５
2014089662.tif 000002
【特許請求の範囲】
【請求項１】
階層をなす上位階層の遷移元と下位階層の遷移先との複数の画面を切り替えて表示する画面表示方法において、
前記複数の画面に付与した画面番号、前記複数の画面に付随した少なくとも一つ以上の操作、前記操作に伴う画面遷移関係が１対複数の関係の有無、前記画面遷移が遷移元と遷移先の遷移方向、前記画面遷移が関連する複数の画面から構成した遷移先グループ及び、前記操作に伴う遷移先の画面番号を保持したテーブルと、
前記遷移先グループ、現在の画面の画面番号及び、戻り画面ＩＤを保持した戻り画面記憶ＩＤテーブルと、
前記遷移先グループ、現在の画面の画面番号、戻り画面ＩＤ及び、戻り画面番号データを保持した戻り画面復帰ＩＤテーブルと、を備え、
上位階層の遷移元から下位階層の遷移先へと画面を切り替えて表示する時に、前記画面に付随した操作に伴い前記テーブルから取得した画面番号と前記遷移先グループとを用いて、前記戻り画面記憶ＩＤテーブルから前記戻り画面ＩＤを取得するとともに記憶し、前記下位階層の遷移先から上位階層の遷移元へと画面を切り替えて表示する時に、前記画面に付随した操作に伴い前記テーブルから取得した画面番号と前記遷移先グループ及び、前記記憶した戻り画面ＩＤとを用いて、前記戻り画面復帰ＩＤテーブルから前記戻り画面番号データを取得することを特徴とする画面表示方法。
【請求項２】
階層をなす上位階層の遷移元と下位階層の遷移先との複数の画面を切り替えて表示する表示装置において、
前記複数の画面に付与した画面番号、前記複数の画面に付随した少なくとも一つ以上の操作、前記操作に伴う画面遷移関係が１対複数の関係の有無、前記画面遷移が遷移元と遷移先の遷移方向、前記画面遷移が関連する複数の画面から構成した遷移先グループ及び、前記操作に伴う遷移先の画面番号とを保持したテーブルと、
前記遷移先グループ、現在の画面の画面番号及び、戻り画面ＩＤを保持した戻り画面記憶ＩＤテーブルと、
前記遷移先グループ、現在の画面の画面番号、戻り画面ＩＤ及び、戻り画面番号データを保持した戻り画面復帰ＩＤテーブルと、を記憶した記憶部と、
上位階層の遷移元から下位階層の遷移先へと画面を切り替えて表示する時に、前記画面に付随した操作に伴い前記テーブルから取得した画面番号と前記遷移先グループとを用いて、前記戻り画面記憶ＩＤテーブルから前記戻り画面ＩＤを取得するとともに記憶し、前記下位階層の遷移先から上位階層の遷移元へと画面を切り替えて表示する時に、前記画面に付随した操作に伴い前記テーブルから取得した画面番号と前記遷移先グループ及び、前記記憶した戻り画面ＩＤとを用いて、前記戻り画面復帰ＩＤテーブルから前記戻り画面番号データを取得する制御部とを備えたことを特徴とする表示装置。
【発明の詳細な説明】
【技術分野】
【０００１】
本発明は、メニュー画面を切り替える画面表示方法及びその表示装置に関する。
【背景技術】
【０００２】
従来の画面表示方法及びその表示装置は、画面の戻り先や呼び出し先といった画面遷移に関する情報を画面情報ファイルに保持するものであった（特許文献１を参照）。
【先行技術文献】
【特許文献】
【０００３】
【特許文献１】特開平４−１０５１２０号公報
【発明の概要】
【発明が解決しようとする課題】
【０００４】
従来の画面表示方法及びその表示装置は、画面情報ファイルに保持した画面遷移に関する情報を、全画面数分保持するために、画面数が多くなる程、ＲＡＭ（ランダムアクセルメモリ）、ＲＯＭ（リードオンリーメモリ）などの記憶部で使用するデータ容量が増加するという問題があった。
【０００５】
そこで本発明は、前記問題点を解消し、記憶部で使用するデータ容量の増加を抑えることが可能な画面表示方法及びその表示装置を提供することを目的とする。
【課題を解決するための手段】
【０００６】
本発明の画面表示方法は、階層をなす上位階層の遷移元と下位階層の遷移先との複数の画面を切り替えて表示する画面表示方法において、前記複数の画面に付与した画面番号、前記複数の画面に付随した少なくとも一つ以上の操作、前記操作に伴う画面遷移関係が１対複数の関係の有無、前記画面遷移が遷移元と遷移先の遷移方向、前記画面遷移が関連する複数の画面から構成した遷移先グループ及び、前記操作に伴う遷移先の画面番号を保持したテーブルと、前記遷移先グループ、現在の画面の画面番号及び、戻り画面ＩＤを保持した戻り画面記憶ＩＤテーブルと、前記遷移先グループ、現在の画面の画面番号、戻り画面ＩＤ及び、前記戻り画面番号データを保持した戻り画面復帰ＩＤテーブルと、を備え、前記上位階層の遷移元から下位階層の遷移先へと画面を切り替えて表示する時に、前記画面に付随した操作に伴い前記テーブルから取得した画面番号と遷移先グループとを用いて、前記戻り画面記憶ＩＤテーブルから前記戻り画面ＩＤを取得するとともに記憶し、前記下位階層の遷移先から上位階層の遷移元へと画面を切り替えて表示する時に、前記画面に付随した操作に伴い前記テーブルから取得した画面番号と遷移先グループ及び、前記記憶した戻り画面ＩＤとを用いて、前記戻り画面復帰ＩＤテーブルから前記戻り画面番号データを取得するものである。
【０００７】
また、本発明の表示装置は、階層をなす上位階層の遷移元と下位階層の遷移先との複数の画面を切り替えて表示する表示装置において、前記複数の画面に付与した画面番号、前記複数の画面に付随した少なくとも一つ以上の操作、前記操作に伴う画面遷移関係が１対複数の関係の有無、前記画面遷移が遷移元と遷移先の遷移方向、前記画面遷移が関連する複数の画面から構成した遷移先グループ及び、前記操作に伴う遷移先の画面番号とを保持したテーブルと、前記遷移先グループ、現在の画面の画面番号及び、戻り画面ＩＤを保持した戻り画面記憶ＩＤテーブルと、前記遷移先グループ、現在の画面の画面番号、戻り画面ＩＤ及び、前記戻り画面番号データを保持した戻り画面復帰ＩＤテーブルと、を記憶した記憶部と、前記上位階層の遷移元から下位階層の遷移先へと画面を切り替えて表示する時に、前記画面に付随した操作に伴い前記テーブルから取得した画面番号と遷移先グループとを用いて、前記戻り画面記憶ＩＤテーブルから前記戻り画面ＩＤを取得するとともに記憶し、前記下位階層の遷移先から上位階層の遷移元へと画面を切り替えて表示する時に、前記画面に付随した操作に伴い前記テーブルから取得した画面番号と遷移先グループ及び、前記記憶した戻り画面ＩＤとを用いて、前記戻り画面復帰ＩＤテーブルから前記戻り画面番号データを取得する制御部とを備えたものである。
【発明の効果】
【０００８】
本発明は、所期の目的を達成することができ、記憶部で使用するデータ容量の増加を抑えることが可能な画面表示方法及びその表示装置を提供することができる。
【図面の簡単な説明】
【０００９】
【図１】本発明の第１実施形態の表示装置の構成を示す図。
【図２】同実施形態の階層メニューの構成を示す図。
【図３】同実施形態の遷移先グループ１を示す図。
【図４】同実施形態の遷移先グループ２を示す図。
【図５】同実施形態の詳細動作を示すフローチャート。
【図６】同実施形態の詳細動作を示すフローチャート。
【図７】同実施形態の詳細動作を示すフローチャート。
【図８】同実施形態の画面遷移判定テーブルを示す図。
【図９】同実施形態の戻り画面記憶ＩＤテーブルを示す図。
【図１０】同実施形態の戻り画面復帰ＩＤテーブルを示す図。
【発明を実施するための形態】
【００１０】
以下、本発明の実施形態を添付図面に基づいて説明する。図１は、実施形態としての表示装置１０の構成を示す図である。
【００１１】
図１に示すように、操作手段としての操作入力部１１と、表示部１２と、ＣＰＵ１３と、フラッシュメモリ１４と、メモリ１５と、駆動回路であるＬＣＤ（Liquid Crystal Display）ドライバ１６とから構成されている。
【００１２】
操作入力部１１は、メニュー画面の切り替え操作を行うもので、複数の操作ボタンを有している。操作ボタンの例としては、「運転／停止」、「決定」、「戻る」、「▲（上三角）」、「▼（下三角）」などを備えている。
【００１３】
表示部１２は、メニュー画面等を表示するものであり、例えば、ＬＣＤから構成される。この表示部１２は、ドライバ１６より送られてきた画像信号を画面上に表示するようになされる。なお、表示部１２には、例えば、ＣＲＴ（Cathode-Ray Tube）、ＥＬディスプレイ（Electroluminescence display）などを用いてもよい。
【００１４】
ＣＰＵ１３は、フラッシュメモリ１４に記憶された制御プログラム情報に従って、メモリ１５をワークエリアとして使用しながら、表示装置１０の全体の動作を制御する制御部である。
【００１５】
制御プログラムは、ＣＰＵ１３、フラッシュメモリ１４及びメモリ１５を、メニューの遷移状態を表したデータを記憶する記憶部と、操作入力部１１が操作されたことを検出する検出部と、操作入力部１１の操作があった場合、記憶部に記憶されているデータを参照し、メニュー画面の遷移が必要か否かを判断する判断部と、判断部によりメニュー画面の遷移が必要と判断された場合、操作入力部１１の操作に対応するメニュー画面を表示するように制御する制御部として機能させるようになされる。
【００１６】
フラッシュメモリ１４は、記憶部であり、制御プログラム、表示部１２に出力される画像データ（メニュー画面等のデータ）及び後述するテーブルを記憶するものであり、例えば、フラッシュＲＯＭ等が用いられる。
【００１７】
メモリ１５は、ＣＰＵ１３のワークエリアとして使用し、また、メニューの遷移状態を表したデータを記憶する記憶部としても機能する。
【００１８】
ドライバ１６は、ＣＰＵ１３からの制御信号に基づいて画面データを表示部１２に表示させるための制御回路である。
【００１９】
表示装置１０において、メニュー画面の切り替え操作を行う際に、ユーザは、操作入力部１１の操作ボタンを操作することで、メニューの操作が行える。この場合、ＣＰＵ１３は、フラッシュメモリ１４からプログラムを読み出し、メモリ１５上で動作する。そして、操作ボタンの入力に応じて、適切な画面をドライバ１６に表示要求を出し、ドライバ１６は、表示部１２に所定の画像を表示するようになされる。なお、ＣＰＵ１３は、プログラムをフラッシュメモリ１４上で動作するようにしてもよい。
【００２０】
次に、図２〜４を用いて、本実施形態のメニュー画面の階層構造について説明する。本実施形態のメニュー画面の階層構造は、図２の左側が、上位階層であり、右側ほど下位階層となる。なお、図２のメニュー画面の階層構造は、本実施形態の説明用に階層構造の一部である。
【００２１】
本実施形態では、画面Ａが、メインメニューであり、第１階層として、画面Ｂ、画面Ｃ、画面ＦＤ、他の画面を備えている。第２階層として、画面Ｂの下位に、画面Ｃ、他の画面を備え、画面ＦＤの下位に、画面Ｄ、画面ＦＥ、画面ＦＦを備えている。さらに第３階層として、画面Ｄの下位に他の画面を、画面ＦＥの下位に画面Ｄを、画面ＦＦの下位に画面Ｄを備えている。図２中、画面Ｃは二つ、画面Ｄは三つ図示されており、第１階層の画面Ｃと第２階層の画面Ｃは、同一の画面である。同じく、第２階層の画面Ｄと第３階層の二つの画面Ｄは、同一の画面である。
【００２２】
画面Ａ、画面Ｂ及び画面Ｃの関係は、上位階層の画面（遷移元画面）と下位階層の画面（遷移先画面）との間で画面が遷移する関係は、下位階層の画面（遷移先画面）が、１つであるのに対して、二つの上位階層の画面（遷移元画面）を備えている。すなわち、１つの下位階層の画面（遷移先画面）に対して、複数（ｎ）の上位階層の画面（遷移元画面）を備えている。そして、本実施形態では、この画面Ａ、画面Ｂ及び画面Ｃの関係を遷移先グループ１として、前記プログラムに保存している。さらに、画面Ａは、遷移先グループ１の画面ＩＤとして「１」が、画面Ｂは、画面ＩＤとして「２」が、設定されている。
【００２３】
また、画面ＦＤ、画面ＦＥ、画面ＦＦ及び画面Ｄの関係は、下位階層の画面（遷移先画面）が、１つであるのに対して、三つの上位階層の画面（遷移元画面）を備えている。すなわち、１つの下位階層の画面（遷移先画面）に対して、複数（ｎ）の上位階層の画面（遷移元画面）を備えている。そして、本実施形態では、この画面ＦＤ、画面ＦＥ、画面ＦＦ及び画面Ｄの関係を遷移先グループ２として、前記プログラムに保存している。さらに、画面ＦＤは、遷移先グループ２の画面ＩＤとして「１」が、画面ＦＥは、画面ＩＤとして「２」が、画面ＦＦは、画面ＩＤとして「３」が、設定されている。
【００２４】
なお、本実施形態のメニュー画面の構成は、上位階層の画面（遷移元画面）と下位階層の画面（遷移先画面）との間で画面が遷移する関係が、上記の１つの下位階層の画面（遷移先画面）に対して、複数（ｎ）の上位階層の画面（遷移元画面）を備えた、１：ｎの関係のみではなく、上位階層の画面（遷移元画面）と下位階層の画面（遷移先画面）との間で画面が遷移する関係が、１：１の関係も備えている。
【００２５】
また、フラッシュメモリ１４は、図８〜１０に示すようなテーブルを備えている。図８の画面遷移判定テーブルは、操作入力部１１の入力データと、操作入力部１１の操作時の画面番号と操作ボタン名に応じた遷移データとの関連を示すものである。図９のテーブルは、戻り画面記憶ＩＤテーブルであり、遷移先グループ、現在の画面番号及び戻り画面ＩＤの関連を示すものである。図１０のテーブルは、戻り画面復帰ＩＤテーブルであり、遷移先グループ、現在の画面番号、戻り画面ＩＤ及び戻り画面番号データの関連を示すものである。
【００２６】
次に、本実施形態の画面表示方法について、図５〜１０を用いて説明する。一例として、メインメニューの画面Ａから第１階層の画面Ｃへの画面遷移と、第１階層の画面Ｃからメインメニューの画面Ａへの画面遷移を用いて説明する。
【００２７】
第１に、メインメニューの画面Ａから第１階層の画面Ｃへの画面遷移を説明する。画面Ａから画面Ｃへの画面遷移は、画面Ａにおいて、操作ボタンの「決定」を操作することによって、行われる。
【００２８】
図５のフローチャートのステップＳ１で、現在の画面の画面番号と、操作入力部１１の操作された操作ボタン名を読み込む。現在の画面は、画面Ａであるので、画面番号として「Ａ」、操作ボタン名として「決定」を読み込む。
【００２９】
ステップＳ２で、「決定」操作ボタンは、ｎ：１の画面遷移であるか否かを判定し、ｎ：１の画面遷移でなければ、ステップＳ８へ進み、ｎ：１の画面遷移であれば、ステップＳ３へ進む。今回の操作では、画面Ａの「決定」操作ボタンの操作は、ｎ：１の画面遷移であるので、ステップＳ３へ進む。
【００３０】
ステップＳ３で、遷移元から遷移先、すなわち、上位階層から下位階層への画面遷移であるか否かを判定し、遷移元から遷移先であれば、ステップＳ４へ進み、遷移元から遷移先でなければ、ステップＳ６へ進む。今回の操作では、画面Ａの「決定」操作ボタンの操作は、遷移元から遷移先であり、ステップＳ４へ進む。
【００３１】
ステップＳ４で、図８の画面遷移判定テーブルから操作入力部１１で操作された操作ボタンに対応する遷移先グループのデータを取得する。画面Ａの「決定」操作ボタンに対応する遷移先グループのデータは１であり、再度、現在の画面である画面Ａを、画面番号として「Ａ」として取得する。
【００３２】
ステップＳ５で、戻り画面番号記憶処理を実行する。ステップＳ５の処理内容の詳細は、図６のフローチャートの処理である。ステップＳ５１で、図９の戻り画面記憶ＩＤテーブルを参照し、ステップＳ４で読み込んだ遷移先グループのデータと画面番号より、該当する戻り画面ＩＤを取得する。今回の操作では、遷移先グループのデータは１、現在の画面番号はＡであり、戻り画面ＩＤは１を取得する。
【００３３】
ステップＳ５２で、ステップＳ５１で参照した戻り画面ＩＤの１をメモリ１５に記憶し、戻り画面番号記憶処理が終了し、ステップＳ８へ進む。
【００３４】
ステップＳ８で、遷移先画面番号設定を行う。このステップでは、図８の画面遷移判定テーブルを参照し、今回の操作では、遷移先画面番号Ｃを取得する。
【００３５】
ステップＳ９で、遷移先画面番号への遷移を実行し、ステップＳ１０で、ドライバ１６へ画面遷移の要求を指示し、処理が完了する。
【００３６】
第２に、第１階層の画面Ｃからメインメニューの画面Ａへの画面遷移を説明する。画面Ｃから画面Ａへの画面遷移は、画面Ｃにおいて、操作ボタンの「戻る」を操作することによって、行われる。
【００３７】
図５のフローチャートのステップＳ１で、現在の画面の画面番号と、操作入力部１１の操作された操作ボタン名を読み込む。現在の画面は、画面Ｃであるので、画面番号として「Ｃ」、操作ボタン名として「戻る」を読み込む。
【００３８】
ステップＳ２で、画面Ｃの「戻る」操作ボタンの操作は、ｎ：１の画面遷移であるので、ステップＳ３へ進む。
【００３９】
ステップＳ３で、今回の操作では、画面Ｃの「戻る」操作ボタンの操作は、遷移先から遷移元であり、ステップＳ６へ進む。
【００４０】
ステップＳ６で、図８の画面遷移判定テーブルから操作入力部１１で操作された操作ボタンに対応する遷移先グループのデータを取得する。画面Ｃの「戻る」操作ボタンに対応する遷移先グループのデータは１であり、再度、現在の画面である画面Ｃを、画面番号として「Ｃ」として取得する。
【００４１】
ステップＳ７で、戻り画面番号による遷移判定処理を実行する。ステップＳ７の処理内容の詳細は、図７のフローチャートの処理である。ステップＳ７１で、メモリ１５に記憶した戻り画面ＩＤを読み込む。今回の操作では、記憶した戻り画面ＩＤは１を読み込む。
【００４２】
ステップＳ７２で、図１０の戻り画面復帰ＩＤテーブルを参照し、ステップＳ６とステップＳ７１で取得した遷移先グループ、現在の画面番号、戻り画面ＩＤより、戻り画面番号データを取得する。
【００４３】
ステップＳ７３で、ステップＳ７２で取得した戻り画面番号データ、今回の操作では、画面番号Ａを取得し、戻り画面番号による遷移判定処理が終了し、ステップＳ９へ進み、前述したように、ステップＳ９で、遷移先画面番号への遷移を実行し、ステップＳ１０で、ドライバ１６へ画面遷移の要求を指示し、処理が完了する。
【００４４】
また、他の例として、第１階層の画面ＦＤから第２階層の画面Ｄへの画面遷移と、第２階層の画面Ｄから第１階層の画面ＦＤへの画面遷移を説明する。
【００４５】
まず、第１階層の画面ＦＤから第２階層の画面Ｄへの画面遷移を説明する。画面ＦＤから画面Ｄへの画面遷移は、画面ＦＤにおいて、操作ボタンの「決定」を操作することによって、行われる。
【００４６】
図５のフローチャートのステップＳ１で、現在の画面は、画面ＦＤであるので、画面番号として「ＦＤ」、操作ボタン名として「決定」を読み込む。
【００４７】
ステップＳ２で、今回の操作では、画面ＦＤの「決定」操作ボタンの操作は、ｎ：１の画面遷移であるので、ステップＳ３へ進む。
【００４８】
ステップＳ３で、今回の操作では、画面ＦＤの「決定」操作ボタンの操作は、遷移元から遷移先であり、ステップＳ４へ進む。
【００４９】
ステップＳ４で、操作入力部１１で操作された操作ボタンに対応する遷移先グループのデータを読み込む。画面ＦＤの「決定」操作ボタンに対応する遷移先グループのデータは２を取得し、再度、現在の画面である画面ＦＤを、画面番号として「ＦＤ」として読み込む。
【００５０】
ステップＳ５で、戻り画面番号記憶処理を実行する。ステップＳ５１で、図９の戻り画面記憶ＩＤテーブルを参照する。今回の操作では、遷移先グループのデータは２、現在の画面番号はＦＤであり、戻り画面ＩＤは１を参照する。
【００５１】
ステップＳ５２で、ステップＳ５１で参照した戻り画面ＩＤの１をメモリ１５に記憶し、戻り画面番号記憶処理が終了し、ステップＳ８へ進む。
【００５２】
ステップＳ８で、遷移先画面番号設定を行う。今回の操作では、遷移先画面番号Ｄを設定する。
【００５３】
ステップＳ９で、遷移先画面番号への遷移を実行し、ステップＳ１０で、ドライバ１６へ画面遷移の要求を指示し、処理が完了する。
【００５４】
次に、第２階層の画面Ｄから第１階層の画面ＦＤへの画面遷移を説明する。画面Ｄから画面ＦＤへの画面遷移は、画面Ｄにおいて、操作ボタンの「戻る」を操作することによって、行われる。
【００５５】
図５のフローチャートのステップＳ１で、現在の画面は、画面Ｄであるので、画面番号として「Ｄ」、操作ボタン名として「戻る」を読み込む。
【００５６】
ステップＳ２で、画面Ｄの「戻る」操作ボタンの操作は、ｎ：１の画面遷移であるので、ステップＳ３へ進む。
【００５７】
ステップＳ３で、今回の操作では、画面Ｄの「戻る」操作ボタンの操作は、遷移先から遷移元であり、ステップＳ６へ進む。
【００５８】
ステップＳ６で、操作入力部１１で操作された操作ボタンに対応する遷移先グループのデータを読み込む。画面Ｄの「戻る」操作ボタンに対応する遷移先グループのデータは２であり、再度、現在の画面である画面Ｄを、画面番号として「Ｄ」として読み込む。
【００５９】
ステップＳ７で、戻り画面番号による遷移判定処理のステップＳ７１で、メモリ１５に記憶した戻り画面ＩＤを読み込む。今回の操作では、記憶した戻り画面ＩＤは１を読み込む。
【００６０】
ステップＳ７２で、図１０のテーブルを参照し、ステップＳ６とステップＳ７１で取得した遷移先グループ、現在の画面番号、戻り画面ＩＤより、戻り画面番号データを取得する。
【００６１】
ステップＳ７３で、ステップＳ７２で取得した戻り画面番号データ、今回の操作では、画面番号ＦＤを取得し、戻り画面番号による遷移判定処理が終了し、ステップＳ９へ進み、前述したように、ステップＳ９で、遷移先画面番号への遷移を実行し、ステップＳ１０で、ドライバ１６へ画面遷移の要求を指示し、処理が完了する。
【００６２】
なお、前述した実施形態では、ステップＳ２で、ｎ：１の画面遷移であるか否かを判定し、ｎ：１の画面遷移であった場合であったが、ｎ：１の画面遷移でない場合、例えば、画面Ａにおいて、「運転／停止」操作ボタンを操作した時は、ｎ：１の画面遷移でないので、ステップＳ８へ進み、図８のテーブルを参照し、遷移先画面番号のＡＡを取得する。
【００６３】
ステップＳ９で、遷移先画面番号への遷移を実行し、ステップＳ１０で、ドライバ１６へ画面遷移の要求を指示し、処理が完了する。
【００６４】
以上により、
記憶部であるフラッシュメモリ１４やメモリ１５で使用するデータ容量の増加を抑えることが可能な画面表示方法及びその表示装置を提供することができる。
【００６５】
また、画面遷移で関連するグループとしてまとめたことで、画面遷移で記憶するデータの容量の増加を抑えるとともに、仕様変更などによって画面が変更された場合も、画面ＩＤの修正を最小限に抑えることができる。
【産業上の利用可能性】
【００６６】
本発明は、複数の画面からなる画面メニューの画面表示方法及びその表示装置に利用可能である。
【符号の説明】
【００６７】
１０      表示装置
１１      操作入力部
１２      表示部
１３      ＣＰＵ
１４      フラッシュメモリ
１５      メモリ
１６      ＬＣＤドライバ
【図１】
2014089662.tif 000003
【図２】
2014089662.tif 000004
【図３】
2014089662.tif 000005
【図４】
2014089662.tif 000006
【図５】
2014089662.tif 000007
【図６】
2014089662.tif 000008
【図７】
2014089662.tif 000009
【図８】
2014089662.tif 000010
【図９】
2014089662.tif 000011
【図１０】
2014089662.tif 000012